(57)【要約】【課題】販売機本体に加えられる衝撃力に対する機械的強度を簡易に高めて、販売機本体の内部に収納した商品の不本意な払い出しを確実に防ぐことのできる自動販売機の据え付け補助部品を提供する。【解決手段】自動販売機本体の背面に取り付けられるものであって、販売機本体の背面縁部に沿って設けられる剛性材からなる４角形状の枠体と、この枠体に設けられて販売機本体の背面に設けられている壁面固定用ナット部に前記枠体をねじ止め固定するための取付部材とを備える。更に前記枠体の底辺部に、前記自動販売機本体の据え付け部に予め埋め込まれたアンカーボルトを挿通して該アンカーボルトにねじ止め固定するための据え付け用孔部を設ける。【選択図】      図１
2004295802.tif 000002
【特許請求の範囲】
【請求項１】
自動販売機本体の背面に取り付けられる据え付け補助部品であって、
前記自動販売機本体の背面縁部に沿って設けられる剛性材からなる４角形状の枠体と、
この枠体に設けられて前記自動販売機本体の背面に設けられている壁面固定用ナット部に前記枠体をねじ止め固定するための取付部材と、
前記枠体の底辺部に設けられて前記自動販売機本体の据え付け部に予め埋め込まれたアンカーボルト／アンカーナットに該枠体をねじ止め固定するための据え付け用孔部と
を具備したことを特徴とする自動販売機の据え付け補助部品。
【請求項２】
前記取付部材は、壁面固定用のナット部に螺合するボルトを挿通する穴部を有し、前記枠体の上辺部に固定されたＬ型アングル部材からなる請求項１に記載の自動販売機の据え付け補助部品。
【請求項３】
請求項１に記載の自動販売機の据え付け補助部品であって、
更に前記枠体の開口部を覆って該枠体に固定される背面板を備えることを特徴とする自動販売機の据え付け補助部品。
【発明の詳細な説明】
【０００１】
【発明の属する技術分野】
本発明は、たばこ等の自動販売機を構造的に安定に据え付けることのできる自動販売機の据え付け補助部品に関する。
【０００２】
【関連する背景技術】
たばこ等の自動販売機は、廊下やロビー等の屋内に設置されることのみならず、道路脇や店先等の屋外に設置されることが多い。この種の自動販売機は、一般的には所定の管理者によって定常的に監視されることがない。この為、例えば管理者不在時にその内部商品が抜き取られたり、業者を装った者によって自動販売機ごと持ち去られると言う盗難事件が発生している。
【０００３】
そこで自動販売機からの内部商品の盗難を防止するべく、従来より種々の工夫がなされている。例えば内部的には商品取出口からの針金等の侵入を防止する機構を組み込むことが行われている。また所定の床面に設置された自動販売機自体の盗難を防ぐべく、その固定部材の破壊を防ぐための工夫も提唱されている（例えば特許文献１を参照）。更には蹴り等による衝撃から自動販売機を保護するべく、扉の前面に防御体を設けることも提唱されている（例えば特許文献２を参照）。
【０００４】
【特許文献１】
特開２０００−４８２５１号公報
【特許文献２】
特開平１１−２０５５号公報
【０００５】
【発明が解決しようとする課題】
しかしながらこのような各種の工夫を施しても、自動販売機の筐体に衝撃が加えられた場合、これによって生じる振動によってその内部の商品コラムに収納された商品が落下し、不本意に商品取出口に導かれてしまう虞があった。特に屋外に設置された自動販売機においては、一般的にその脚部がコンクリート等からなる床面に固定されているだけなので、販売機本体の側面や背面等が蹴られた場合、その衝撃力による振動が販売機本体の内部に伝わり易いので、上述した問題が大きかった。
【０００６】
本発明はこのような事情を考慮してなされたもので、その目的は、販売機本体に加えられる衝撃力に対する機械的強度を簡易に高めることができ、内部に収納した商品の不本意な払い出しを効果的に防ぐことのできる自動販売機の据え付け補助部品を提供することにある。
【０００７】
【課題を解決するための手段】
上述した目的を達成するべく本発明に係る自動販売機の据え付け補助部品は、自動販売機本体の背面に取り付けられるものであって、
前記自動販売機本体の背面縁部に沿って設けられる剛性材からなる４角形状の枠体と、この枠体に設けられて前記自動販売機本体の背面に設けられている壁面固定用ナット部に前記枠体をねじ止め固定するための取付部材とを備え、更に前記枠体の底辺部に、前記自動販売機本体の据え付け部に予め埋め込まれたアンカーボルトまたはアンカーナットに該枠体をねじ止め固定するための据え付け用孔部を設けたことを特徴としている。
【０００８】
ちなみに前記枠体は、例えば断面コの字状の鋼材からなるチャネル部材を、その溝面を内側に向けて四角形状に組み付けたものからなる。また前記取付部材は、壁面固定用のナット部に螺合するボルトを挿通する穴部を有し、前記枠体の上辺部に固定されたＬ型のアングル部材からなる。これらのチャネル部材やアングル部材については、例えば鉄鋼製のものやステンレス鋼製のものを用いるようにすれば良い。
【０００９】
このような枠体を主体とする据え付け補助部品を自動販売機本体の裏面に固定すれば、上記枠体が自動販売機を設置する上での後壁として機能するので、自動販売機本体を機械的に強固に保持することが可能となり、蹴り等による衝撃力が加わったとしても、これによる販売機本体の撓みや振動を防止することが可能となる。この結果、販売機本体の内部に不本意な振動が生じて、その内部の商品コラムに収納した商品が落下する等の不具合を効果的に防止することが可能となる。
【００１０】
また本発明に係る自動販売機の据え付け補助部品は、更に前記枠体の開口部を覆って該枠体に固定される背面板を備えることを特徴としている。このような背面板を前記枠体に固定すれば、背面板の面にて枠体自体のねじれや歪みを防止して、その機械的強度を更に高めることができるので、より強固な自動販売機の保持（据え付け）が可能となる。
【００１１】
【発明の実施の形態】
以下、図面を参照して本発明の一実施形態に係る自動販売機の据え付け補助部品について説明する。
図１はこの実施形態に係る自動販売機の据え付け補助部品の概略構成を示すもので、図中１は据え付け補助部品１０が取り付けられる販売機本体を示している。この販売機本体１は、例えばその内部に複数種の商品（例えばたばこ）を収納する複数列の商品コラム（図示せず）を備えたものであって、その前面側には前扉２が開閉自在に設けられている。このような販売機本体１と前扉２とにより箱形の筐体を形成した自動販売機は、通常、その底部に設けられた脚部３を、コンクリートからなる台座（床面）に予め埋め込んだアンカーボルト（図示せず）を利用して据え付け固定される。
【００１２】
さてこのような自動販売機のオプションとして、その販売機本体１の裏面に取り付けられる据え付け補助部品１０は、概略的には上記販売機本体１の裏面と略同じ大きさの四角形状の枠体１１と、この枠体１１の上辺部に固定されて上記枠体１１を販売機本体１の裏面に固定するための取付部材１２とを備えている。枠体１１は、例えば断面コ字状の鋼材からなるチャネル部材を、その溝面を内側に向けて四角形状に組み付けたものからなる。また前記取付部材１２は、断面Ｌ型のアングル部材からなる。これらの枠体（チャネル部材）１１および取付部材（アングル部材）１２は、例えば鉄鋼製のものやステンレス鋼製のものからなる。これらの枠体１１と取付部材１２とは、ボルトとナットとを用いて結合一体化したものであっても良いが、溶接等によって接合一体化したものであることが好ましい。
【００１３】
ところで図２に要部断面構造を示すように、前記取付部材１２の枠体１１から突出して設けられる突出辺部１２ａには、該取付部材１２を介して枠体１１を販売機本体１の裏面に固定するための穴部１３が形成されている。この穴部１３は、販売機本体１の裏面に予め設けられている壁面固定用のナット部４に螺合するボルト５を挿通するためのもので、この穴部１３を介して据え付け補助部品１０が販売機本体１の裏面にねじ止め固定される。
【００１４】
一方、前記枠体１１の底辺部には、据え付け用孔部１４が設けられている。この据え付け用孔部１４は、自動販売機の据え付け部である、例えばコンクリート製の台座６に予め埋め込まれたアンカーボルト７を挿通して枠体１１を台座６に据え付け固定するためのものである。ちなみに枠体１１の台座６への据え付け固定は、上記アンカーボルト７に螺合するナット８を用いて枠体１１の底辺部を前記台座６とナット８との間に挟み込むことによって行われる。
【００１５】
本発明に係る据え付け補助部品１０は、基本的には上述した枠体１１とその上辺部に固定された取付部材１２とを備えて構成されるが、図１および図２にそれぞれ示すように、更に枠体１１の開口部を覆って該枠体１１に固定される背面板１５を備えるようにしても良い。更に前記枠体１１の側辺部下部に取り付けられて販売機本体１の側面に固定される側面板１６を備えるようにしても良い。
【００１６】
かくしてこのような据え付け補助部品１０を用いて所定の据え付け部（コンクリート製の台座６）に固定される（据え付けられる）自動販売機によれば、枠体１１が台座６に埋め込まれたアンカーボルト７に強固に固定されており、この枠体１１が取付部１２を介して販売機本体１の裏面に固定されるので、上記枠体１１は販売機本体１の背面を機械的に強固に保持する後壁体として機能する。特に枠体１１に前述した背面板１５が固定されている場合には、更に機械的に強固な後壁体として機能する。
【００１７】
即ち、販売機本体１の筐体は、その内部にチャネル材等を用いて補強されてはいるものの、基本的には折り曲げ加工した鉄板であり、曲げ等の機械的強度が優れているとは言い難い。この点、上述した枠体１１をその背面板に固定して販売機本体１の筐体と一体化すれば、これによって販売機本体１の筐体の曲げや撓み等に対する機械的強度を十分に高めることが可能となる。しかも枠体１１が前述したようにアンカーボルト７によって台座６上に強固に固定されるので、蹴り等の外部衝撃が加えられても、その衝撃力を確実に受け止めることが可能となる。
【００１８】
この結果、鉄板からなる販売機本体１の筐体のねじれや歪みを効果的に防止することが可能となり、衝撃力に伴う振動の発生も効果的に抑えることが可能となる。そして販売機本体１の内部における振動を押さえ、商品コラムからの商品の不本意な落下等を確実に防止することが可能となる。また販売機本体１の背面に固定された枠体１１は、販売機本体１を台座６上に固定する役割も呈するので、販売機本体１の脚部３の台座６上への固定と相俟って、台座６への自動販売機の据え付け固定力を更に高めることが可能となる等の効果が奏せられる。
【００１９】
尚、枠体１１の後面に前述した背面板１５を設けておけば、この背面板１５によって枠体１１の歪みやねじれ等を矯正しながら、枠体１１の機械的強度を更に高めることができる。更には背面板１５の存在によって販売機本体１の背面を直接足蹴りすることを不可能とし、仮に背面板１５が蹴られても該背面板１５によってその衝撃を緩和することができるので、背面板１５を緩衝部材として機能させることができる。この結果、蹴りに伴う衝撃力の販売機本体１への伝達を抑えることができ、この点でも販売機内部の不本意な振動を防止することができる等の効果が奏せられる。
【００２０】
更には前述した側面板１６を設けるようにすれば、これによって自動販売機の側面部からの衝撃力についても前記枠体１１にて受け止めることが可能となるので、尚一層の振動防止効果が奏せられる。特にこの側面板１６を、足蹴り可能な高さ程度まで設けておけば、足蹴りによる衝撃力を側面板１６にて受け止め、この衝撃力を枠体１１に伝達することが可能となるので、自動販売機の機械的安定性を更に高めることが可能となる。
【００２１】
また上述した据え付け補助部品１０は、販売機本体１の裏面に予め設けられている壁面固定用のナット部４を利用して該販売機本体１の裏面に固定されるものであるから、販売機本体１自体に格別な加工を施す必要がなく、既存の標準的な自動販売機に幅広く適用することができる。しかも据え付け補助部品１０自体は、前述したように鉄鋼またはステンレス鋼のチャネル部材およびアングル部材を用いて簡単に構成できるものであるから、その製造コストも安価であり、自動販売機の種々のサイズに応じたものとして実現することも容易である等の利点がある。
【００２２】
尚、本発明は上述した実施形態に限定されるものではない。例えば枠体１１を構成するチャネル部材の肉厚やその角寸法については、要求される機械的強度に応じたものとすれば十分である。また据え付け補助部品１０を鉄製のものとして実現する場合には、適宜、錆止め塗装等を施すようにしておけば良い。また枠体１１の内側に筋交い等を設けておき、その機械的強度を更に高くすることも有用である。更には台座６にアンカーナットを埋め込んでおき、このアンカーナットにボルトを螺合させることで枠体１１を固定することも勿論可能である。その他、本発明はその要旨を逸脱しない範囲で種々変形して実施することができる。
【００２３】
【発明の効果】
以上説明したように本発明に係る据え付け補助部品は、自動販売機を設置する台座上に固定されると共に、販売機本体の裏面に固定されるので、蹴り等の衝撃力に対する自動販売機の筐体の歪み等を効果的に抑え、その内部の不本意な振動を防止することができる。この結果、蹴り等の外部衝撃が加わっても内部の商品コラムからの商品の不本意な落下を確実に防ぐことができる等の効果が奏せられ、その実用的利点が絶大である。
【図面の簡単な説明】
【図１】本発明の一実施形態に係る自動販売機の据え付け補助部品の概略構成図。
【図２】図１に示す据え付け補助部品の台座への取り付け、および販売機本体への取り付け構造を示す要部断面図。
【符号の説明】
１  販売機本体
１０  据え付け補助部品
１１  枠体
１２  取付部品
１３  穴部（販売機本体への取り付け孔）
１４  据え付け用孔部
１５  背面板
１６  側面板
【図１】
2004295802.tif 000003
【図２】
2004295802.tif 000004